(57)【要約】【課題】簡単な構成で光ディスクの判別を敏速且つ確実に行える光ディスク装置を提供する。【解決手段】２波長レーザーダイオード１３と青色レーザーダイオード１４から出射されたレーザービームは対物レンズ１１で集束されて光ディスク１の記録面に照射される。レーザービームから生じた±１次回折光と０次反射光はビームスプリッタ１６を介して２分割フォトディテクタ１８ａに向けられ、２分割フォトディテクタ１８ａでの光検知量に基づきトラッキングエラー信号が出力される。光ディスク１の種類の判別は、トラッキングエラー信号の振幅の差を判別基準として行われる。２分割フォトディテクタ１８ａの手前に置いた開口制限体１９を制御し、それぞれ開口制限量を異ならせた複数回の振幅測定結果を判別基準として光ディスク１の種類を判別する。【選択図】図１
2007234160.tif 000002
【特許請求の範囲】
【請求項１】
光ディスクの記録面に照射された光ビームの±１次回折光と０次反射光を２分割フォトディテクタで検出してトラッキングエラー信号を出力する光ディスク装置において、
前記トラッキングエラー信号の振幅の差を判別基準として光ディスクの種類を判別することを特徴とする光ディスク装置。
【請求項２】
前記２分割フォトディテクタの手前に開口制限体を置き、それぞれ開口制限量を異ならせた複数回の振幅測定結果を判別基準として光ディスクの種類を判別することを特徴とする請求項１に記載の光ディスク装置。
【請求項３】
前記複数回の振幅測定結果から近似直線を求め、この近似直線の傾きを判別基準として光ディスクの種類を判別することを特徴とする請求項２に記載の光ディスク装置。
【請求項４】
前記２分割フォトディテクタは２分割受光領域のそれぞれの内部が複数ずつに区分されていることを特徴とする請求項１に記載の光ディスク装置。
【請求項５】
前記２分割フォトディテクタの２分割受光領域は、それぞれ、フォトディテクタの中央部を占める内側部分とその外側を占める外側部分とに区分されていることを特徴とする請求項４に記載の光ディスク装置。
【発明の詳細な説明】
【技術分野】
【０００１】
本発明は光ディスク装置に関し、特に光ディスクの種類を判別する仕組みに関する。
【背景技術】
【０００２】
光（レーザービーム）で情報の読み書きを行う光ディスクが実用化されて久しいが、最近ではＣＤ、ＤＶＤ、ＨＤ−ＤＶＤ（High Definition DVD）、ＢＤ（Blue-ray Disc）など、様々な種類のものが商品化され、あるいは商品化されつつある。上記光ディスクは直径が１２０ｍｍに統一されているため、形状を見ただけではその種類を判別して適切な機器を選択したり、機器の設定を切り替えたりすることは難しい。ラベルを良く見れば識別できるとは言うものの、使用者が良く見なかったり、見はしたが錯覚や誤解でディスクの種類を取り違えて誤った設定をしてしまうということは良くある。そこで、使用者の判断に頼ることなく機器の側で自動的に光ディスクの種類を判別し、それに応じた設定に切り替える仕組みが種々提案されている。その例を特許文献１−３に見ることができる。
【０００３】
特許文献１には、対物レンズの開口数が異なる２つの光ピックアップを用いて、あるいは開口数変更手段を有する１つの光ピックアップを用いて、合焦可能な開口数より光ディスクを識別する装置が記載されている。
【０００４】
特許文献２には、開口数変更可能な集束部を用意し、異なる開口数のうちで最小の第１開口数における光ディスクからの反射光の検出結果に基づいて光ディスクの種類を判別する装置が記載されている。
【０００５】
特許文献３にはディスク判別回路を備えた光ディスク装置が記載されている。
【特許文献１】特開平９−２１２８６８号公報（［００２９］−［００４２］、図３−８）
【特許文献２】特開２００４−３１１００４号公報（［００７３］、図１１）
【特許文献３】特開２００３−３３１４３７号公報（［００６５］、図１１）
【発明の開示】
【発明が解決しようとする課題】
【０００６】
上記のような従来の光ディスク種類判別方式では、対物レンズの開口数の異なる複数の光ピックアップを用いるか、あるいは数は１つだが対物レンズの開口数を変更できるようにした光ピックアップを用いており、部品点数が多くコスト的に不利であり、また開口数の切替という機械的な動作が必要になるため動作が機敏でないという欠点があった。
【０００７】
本発明は上記の点に鑑みなされたものであって、簡単な構成で光ディスクの判別を敏速且つ確実に行える光ディスク装置を提供することを目的とする。
【課題を解決するための手段】
【０００８】
上記目的を達成するために、請求項１の発明は、光ディスクの記録面に照射された光ビームの±１次回折光と０次反射光を２分割フォトディテクタで検出してトラッキングエラー信号を出力する光ディスク装置において、前記トラッキングエラー信号の振幅の差を判別基準として光ディスクの種類を判別するものとする。
【０００９】
この構成によると、トラッキングエラー信号を出力する既存の仕組みを利用して光ディスクの種類を判別するものであるから、構成上の大きな変更を要さず、コスト安に装置を構成することができる。また対物レンズの開口数を変更する機構が不要なので構造が複雑化せず、動作も速い。
【００１０】
請求項２の発明は、請求項１の光ディスク装置において、前記２分割フォトディテクタの手前に開口制限体を置き、それぞれ開口制限量を異ならせた複数回の振幅測定結果を判別基準として光ディスクの種類を判別するものとする。
【００１１】
この構成によると、１回の測定結果だけを頼りに判別を行うということをせず、開口制限量を異ならせた複数回の振幅測定結果を判別基準として光ディスクの種類を判別するから、判別の信頼性を高めることができる。
【００１２】
請求項３の発明は、請求項２の光ディスク装置において、前記複数回の振幅測定結果から近似直線を求め、この近似直線の傾きを判別基準として光ディスクの種類を判別するものとする。
【００１３】
この構成によると、振幅を単純に比較するのでなく、近似直線として数値の変遷の傾向から光ディスクの種類を判別するので、判別が一層確実なものとなる。
【００１４】
請求項４の発明は、請求項１の光ディスク装置において、前記２分割フォトディテクタは２分割受光領域のそれぞれの内部が複数ずつに区分されているものとする。
【００１５】
この構成によると、光ディスクの種類の違いが一層敏感に対比結果に表れ、光ディスク種類の判別が正確になる。
【００１６】
請求項５の発明は、請求項４の光ディスク装置において、前記２分割フォトディテクタの２分割受光領域は、それぞれ、フォトディテクタの中央部を占める内側部分とその外側を占める外側部分とに区分されているものとする。
【００１７】
この構成によると、フォトディテクタの構造を必要以上に複雑化させることなく、トラッキングエラー信号の出力に必要な受光量の差を得ることができる。
【発明の効果】
【００１８】
以上のように本発明の光ディスク装置は、光ディスクの記録面に照射された光ビームの±１次回折光と０次反射光を２分割フォトディテクタで検出してトラッキングエラー信号を出力するに際し、トラッキングエラー信号の振幅の差を判別基準として光ディスクの種類を判別するから、構成に大きな変更を施すことなく、コスト安に光ディスクの種類を判別することができる。また対物レンズの開口数を変更する機構が不要なのでその分コストが安く、動作も速い。そして２分割フォトディテクタの手前に開口制限体を置き、それぞれ開口制限量を異ならせた複数回の振幅測定結果を判別基準として光ディスクの種類を判別することにより、信頼性の高い判別を行うことができる。さらに、２分割フォトディテクタの２分割受光領域のそれぞれの内部を複数ずつに区分することにより、光ディスクの種類の違いが一層敏感に対比結果に表れ、光ディスク種類の判別が正確になる。
【発明を実施するための最良の形態】
【００１９】
以下、図１−９を参照しつつ本発明の第１実施形態を説明する。図１は光ディスク装置の光学系の概略構成図、図２はＤＶＤにおける光の回折状況を示す概念図、図３はＨＤ−ＤＶＤにおける光の回折状況を示す概念図、図４はＤＶＤで回折された光が２分割フォトディテクタで受光される状況の説明図、図５はＨＤ−ＤＶＤで回折された光が２分割フォトディテクタで受光される状況の説明図、図６はＤＶＤで回折されたうえ開口制限を受けた光が２分割フォトディテクタで受光される状況の説明図、図７はＨＤ−ＤＶＤで回折されたうえ開口制限を受けた光が２分割フォトディテクタで受光される状況の説明図、図８は開口制限量とトラッキングエラー信号の振幅との関係を示すグラフ、図９は光ディスク種類判別動作のフローチャートである。
【００２０】
図１に示す光ディスク装置１０の光学系は、水平に支持された光ディスク１の下面の記録面に向き合う対物レンズ１１と、対物レンズ１１の真下にあり、水平に照射されたレーザービームを対物レンズ１１に向け方向変換させる立上げミラー１２を備える。この光学系はＣＤ、ＤＶＤ、ＨＤ−ＤＶＤの３種類の光ディスクＤを扱うものであり、ＣＤ用に波長７８５ｎｍ、ＤＶＤ用に波長６６０ｎｍ、ＨＤ−ＤＶＤ用に波長４０５ｎｍと３種類のレーザービームを用いる。ＣＤ用のレーザービームとＤＶＤ用のレーザービームを出射するのは２波長レーザーダイオード１３であり、ＨＤ−ＤＶＤ用のレーザービームを出射するのは青色レーザーダイオード１４である。
【００２１】
２波長レーザーダイオード１３は上向きにレーザービームを出射し、そのレーザービームはダイクロイックプリズム（Dichroic Prism）１５で水平に向きを変えられる。青色レーザーダイオード１４は水平にレーザービームを出射するものであり、そのレーザービームはダイクロイックプリズム１５を直進通過して立上げミラー１２に向かう。ダイクロイックプリズム１５から立上げミラー１２までの間にはビームスプリッタ１６とコリメートレンズ１７が配置されている。ビームスプリッタ１６は光ディスク１からの反射光と回折光（詳しくは後述）を２分割フォトディテクタ１８ａに向ける働きをする。２分割フォトディテクタ１８ａの手前には開口制限体１９が置かれる。開口制限体１９は液晶パネルからなる。
【００２２】
第１実施形態の光ディスク装置１０は、いわゆるプッシュプル法によりトラッキングエラー信号（以下「ＴＥ信号」と略称する）を得る。すなわち対物レンズ１１で集束されたレーザービームは光ディスク１の記録面に案内溝又は凹凸ピット列が形成されていることにより回折する。その±１次回折光と０次反射光が２分割フォトディテクタ１８ａの分割受光領域で受光され、分割受光領域での受光量の差から、図示しない差動増幅器によってＴＥ信号が出力される。
【００２３】
光ディスク１でレーザービームが回折する状況が図２、３に模型的に示されている。図２はＤＶＤで回折している状況であり、図３はＨＤ−ＤＶＤで回折している状況である。ＨＤ−ＤＶＤはＤＶＤよりもトラックピッチが狭い（ＤＶＤのトラックピッチが０．７４μｍであるのに対し、ＨＤ−ＤＶＤのトラックピッチは０．３４μｍ）。そのため回折光の様相が異なっている。これは次の理由による。
【００２４】
光ディスク１は、記録面にトラックが螺旋状に形成されている。レーザービームが集束される箇所を微視的に見ると、トラックはほぼ平行に並んでおり、トラックピッチを溝間隔とした回折格子が形成されている。よって、回折格子のグレーティング方程式により、
sinα  ＋  sinβ  ＝  Ｎｍλ
という関係が成立する。ここでαは入射光角度、βは回折光角度、Ｎは回折次数、ｍは回折格子の溝間隔、λは光の波長である。角度は回折格子の法線からの角度である。
【００２５】
図２、３において、同心円は回折光の位相が同じ位置を示している。同位相の位置では回折光は強め合い、強め合って形成される光が±Ｎ次回折光となる。ＤＶＤとＨＤ−ＤＶＤのようにトラックピッチが異なると、回折光の同位相位置が異なるので、角度に差が出る。ＤＶＤにおける０次反射光と±１次回折光とのなす角と、ＨＤ−ＤＶＤにおける０次反射光と±１次回折光とのなす角を比較すると、後者の方が前者よりも大きい。本発明ではこの現象を利用して光ディスクの種類を判別する。
【００２６】
図４、５には２分割フォトディテクタ１８ａ上の光スポットの状況が示されている。図中Ａは２分割フォトディテクタ１８ａの一方の受光領域、Ｂは他方の受光領域を表す。ＴＥ信号は次のように概念的に把握することができる。
ＴＥ  ＝  Ａ  −  Ｂ
【００２７】
受光領域Ａと受光領域Ｂにまたがる全円は０次反射光のスポットを表し、受光領域Ａと受光領域Ｂにそれぞれ見える半円は±１次回折光のスポットを表す。スポットの円は強度の半値幅に相当する。０次反射光と±１次回折光が干渉している領域には斜線を施してある。
【００２８】
図４において、０次反射光スポットの中心と±１次回折光スポットの辺縁部との間の距離をＤDVDとする。また図５において、０次反射光スポットの中心と±１次回折光スポットの辺縁部との間の距離をＤHDとする。ＤDVDとＤHDを比べると、次のようになる。
ＤDVD  ＜  ＤHD
【００２９】
ＤDVDとＤHDとの差により、０次反射光と±１次回折光の干渉領域の面積にも差が出る。図４で、受光領域Ａ、Ｂそれぞれにおける干渉領域の面積をＳDVD、また図５で、受光領域Ａ、Ｂそれぞれにおける干渉領域の面積をＳHDとし、両者を比較すると、次のようになる。
ＳDVD  ＞  ＳHD
【００３０】
面積の大きなＳDVDからは振幅の大きなＴＥ信号が生じ、面積の小さなＳHDからは振幅の小さなＴＥ信号が生じる。すなわちＴＥ信号の振幅を調べることにより、ＤＶＤとＨＤ−ＤＶＤの判別が可能となる。
【００３１】
図４、５は開口制限体１９を動作させないときの状態である。開口制限体１９を動作させて開口制限を行うと、状態が図６、７のように変わる。すなわち０次反射光スポットと±１次回折光スポットが絞られ、ＳDVDとＳHDは共に縮小する。ＳDVDとＳHDの縮小は、ＴＥ信号における振幅の縮小をもたらす。
【００３２】
ＴＥ信号の振幅の測定値は、光ディスク１の反射率、レーザーダイオードの出力、ＴＥ信号のＡＧＣ（Automatic Gain Control）のゲイン設定値の差などの影響を受ける。この影響を低減するため、正規化を行う。
【００３３】
ＤＶＤとＨＤ−ＤＶＤの判別は、開口制限量をそれぞれ異ならせた状態でＴＥ信号の振幅測定を複数回行い、その複数回の測定結果を判別基準とすることにより、一層信頼性の高いものとなる。異なる３つの開口制限量でＤＶＤとＨＤ−ＤＶＤのＴＥ信号の振幅を測定し、それを正規化してグラフにプロットした状況を図８に示す。いずれの開口制限量においてもＨＤ−ＤＶＤの方がＴＥ信号の振幅が小さく、その開きは開口制限の制御量が大きくなる、つまり大きく制限するほど顕著である。複数の開口制御量におけるＴＥ信号の基準値を実験を通じて求め、各基準値と、その開口制限量における実際の測定値とを比較することにより、信頼性の高い判別結果を得ることができる。
【００３４】
図８ではＤＶＤとＨＤ−ＤＶＤのそれぞれの測定結果から近似直線を求めている。近似直線の傾きを判別基準とすれば、特定箇所での振幅の違いに留まらず、数値の変遷の傾向から光ディスクの種類を判別することになるので、一層確実に判別を行える。
【００３５】
ＴＥ信号の振幅測定結果から近似直線を求め、その近似直線を用いて光ディスク１の種類の判別を行う際の動作フローの一例が図９に示されている。以下その内容を説明する。
【００３６】
動作スタート後、ステップ＃１０１で青色レーザーダイオード１４がオンになり、波長４０５ｎｍのレーザービームが出射される。ステップ＃１０２では図示しないフォーカス機構がオンになり、レーザービームを光ディスク１の記録面に合焦させる態勢となる。ステップ＃１０３では開口制限体１９がオンになり、開口制限を行う態勢となる。ステップ＃１０４ではＡＧＣの値が設定される。ステップ＃１０５ではＡＳ（全光量）、レーザーダイオードの発光パワー、及びＴＥ信号振幅のＡＧＣゲインの値が測定される。
【００３７】
ステップ＃１０６ではＴＥ信号の振幅測定回数がゼロに設定される。ステップ＃１０７ではＴＥ信号の振幅測定回数がそれまでの測定回数に１を加えたものに設定される。ステップ＃１０８では最大のＴＥ信号振幅（ＴＥppN）が測定される。ステップ＃１０９では開口制限体１９が動作して開口制限が１段進められる。ステップ＃１１０ではＴＥ信号の振幅測定回数が調べられる。測定回数が３に満たなければステップ＃１０７に戻る。測定回数が３を超えたらステップ＃１１１に進む。
【００３８】
ステップ＃１１１では、異なる開口制限量で３回測定したＴＥ信号振幅の、各回の最大信号振幅（ＴＥppN）を正規化する。ステップ＃１１２では正規化した３個の測定結果から近似直線を求め、さらに近似直線の傾きＭを算出する。ステップ＃１１３ではステップ＃１１２で算出した近似直線の傾きＭを基準値Ａと比較する。Ｍの値がＡの値よりも大きければステップ＃１１４に進み、光ディスク１がＤＶＤであると判別する。Ｍの値がＡの値よりも大きくなければステップ＃１１５に進み、光ディスク１がＨＤ−ＤＶＤであると判別する。以上で動作フローが終了する。
【００３９】
続いて図１０−１４を参照しつつ本発明の第２実施形態を説明する。図１０は２分割フォトディテクタの概略平面図、図１１はＤＶＤで回折された光が２分割フォトディテクタで受光される状況の説明図、図１２はＨＤ−ＤＶＤで回折された光が２分割フォトディテクタで受光される状況の説明図、図１３はＤＶＤで回折されたうえ開口制限を受けた光が２分割フォトディテクタで受光される状況の説明図、図１４はＨＤ−ＤＶＤで回折されたうえ開口制限を受けた光が２分割フォトディテクタで受光される状況の説明図である。
【００４０】
第２実施形態では、図１０に示す構造の２分割フォトディテクタ１８ｂを使用する。２分割フォトディテクタ１８ｂは、分割受光領域のそれぞれの内部がさらに複数ずつに区分されている。図において左側にはフォトディテクタの中央部を占める内側部分Ａiとその外側を占める外側部分Ａ0があり、右側にはフォトディテクタの中央部を占める内側部分Ｂiとその外側を占める外側部分Ｂ0がある。全体として見ると、内側部分Ａi、Ｂiの外側を外側部分Ａ0、Ｂ0がぐるりと取り囲む形になっている。ＴＥ信号は次のように概念的に把握することができる。
ＴＥ  ＝  （Ａi＋Ａ0）−（Ｂi＋Ｂ0）
【００４１】
図１１と図１２を比較すると、トラックピッチの広いＤＶＤでは、±１次回折光が０次反射光に近いので、内側部分Ａi、Ｂiでの干渉領域の面積ＳDAi、ＳDBiが広い。トラックピッチがＤＶＤよりも狭いＨＤ−ＤＶＤでは、±１次回折光が０次反射光から離れていて、内側部分Ａｉ、Ｂiでの干渉領域の面積ＳHAi、ＳHBiがＳDAi、ＳDBiよりも狭い。
【００４２】
図１１、１２より、２分割フォトディテクタ１８ｂにおける０次反射光と±１次回折光の干渉領域の面積は次のように求められる。
２分割フォトディテクタ１８ｂ全体では：  （ＳXAi＋ＳXA0）−（ＳXBi＋ＳXB0）
内側部分Ａi、Ｂiでは                ：  （ＳXAi）−（ＳXBi）
（Ｘ：ディスクの種類）となる。
【００４３】
ＴＥ信号は２分割フォトディテクタ１８ｂ上での０次反射光と±１次回折光の干渉領域に基づき生成されるので、干渉領域の面積とＴＥ信号の振幅とは比例するとみなすことができる。
【００４４】
ＤＶＤはトラックピッチが広く、内側部分Ａi、Ｂiでの干渉領域の面積ＳDAi、ＳDBiの割合が大きくなるので、２分割フォトディテクタ１８ｂ全体での干渉領域の面積と次式で比較を行うと、計算値Ｗが小さくなる。
Ｗ  ＝  （全体の干渉領域の面積／内側部分での干渉領域の面積）
＝  ｛（（ＳXAi＋ＳXA0）−（ＳXBi＋ＳXB0）／（ＳXAi）−（ＳXBi））
【００４５】
ＨＤ−ＤＶＤはトラックピッチが狭く、内側部分Ａi、Ｂiでの干渉領域ＳHAi、ＳHBiの面積の割合が小さくなるので、上記のように２分割フォトディテクタ１８ｂ全体での干渉領域の面積と比較した場合、計算値Ｗが大きくなる。
【００４６】
このように、分割受光領域のそれぞれの内部を内側部分Ａi、Ｂiと外側部分Ａ0、Ｂ0に区分し、内側部分と外側部分の両方を合わせた干渉領域と、内側部分だけの干渉領域を対比させることにより、光ディスクの種類の違いが一層敏感に対比結果に表れ、光ディスク種類の判別が正確になる。
【００４７】
計算値Ｗと比較する判別用の値を事前に用意しておき、計算値Ｗの方が小さければＤＶＤ、計算値Ｗの方が大きければＨＤ−ＤＶＤと判別することができる。この判別方式は、計算値Ｗが小さいときはＴＥ信号の振幅が大きく、計算値Ｗが大きければＴＥ信号の振幅が小さいという比例関係を利用しているので、つまるところＴＥ信号の振幅の差を判別基準としているのと変わらない。
【００４８】
図１１、１２は開口制限体１９を動作させないときの状態である。開口制限体１９を動作させて開口制限を行うと、状態が図１３、１４のように変わる。すなわち０次反射光スポットと±１次回折光スポットが絞られ、図１３ではＳDAi、ＳDBi、ＳDA0、ＳDB0が縮小する。図１４ではＳHAi、ＳHBi、ＳHA0、ＳHB0が縮小する。これにより計算値Ｗが変化する。第１実施例と同様、開口制限量をそれぞれ異ならせた状態で複数の計算値Ｗを求め、その複数の計算値Ｗを判別基準とすることにより、ＤＶＤとＨＤ−ＤＶＤの判別は一層信頼性の高いものとなる。
【００４９】
以上本発明の各実施形態につき説明したが、発明の主旨を逸脱しない範囲でさらに種々の変更を加えて実施することができる。
【産業上の利用可能性】
【００５０】
本発明は、光ディスクの記録面に照射された光ビームの±１次回折光と０次反射光を２分割フォトディテクタで検出してトラッキングエラー信号を出力する光ディスク装置に広く利用可能である。
【図面の簡単な説明】
【００５１】
【図１】本発明の第１実施形態に係る光ディスク装置の光学系の概略構成図
【図２】ＤＶＤにおける光の回折状況を示す概念図
【図３】ＨＤ−ＤＶＤにおける光の回折状況を示す概念図
【図４】ＤＶＤで回折された光が２分割フォトディテクタで受光される状況の説明図
【図５】ＨＤ−ＤＶＤで回折された光が２分割フォトディテクタで受光される状況の説明図
【図６】ＤＶＤで回折されたうえ開口制限を受けた光が２分割フォトディテクタで受光される状況の説明図
【図７】ＨＤ−ＤＶＤで回折されたうえ開口制限を受けた光が２分割フォトディテクタで受光される状況の説明図
【図８】開口制限量とトラッキングエラー信号の振幅との関係を示すグラフ
【図９】光ディスク種類判別動作のフローチャート
【図１０】本発明の第２実施形態に係る２分割フォトディテクタの概略平面図
【図１１】ＤＶＤで回折された光が２分割フォトディテクタで受光される状況の説明図
【図１２】ＨＤ−ＤＶＤで回折された光が２分割フォトディテクタで受光される状況の説明図
【図１３】ＤＶＤで回折されたうえ開口制限を受けた光が２分割フォトディテクタで受光される状況の説明図
【図１４】ＨＤ−ＤＶＤで回折されたうえ開口制限を受けた光が２分割フォトディテクタで受光される状況の説明図
【符号の説明】
【００５２】
１    光ディスク
１０  光ディスク装置
１１  対物レンズ
１２  立上げミラー
１３  ２波長レーザーダイオード
１４  青色レーザーダイオード
１５  ダイクロイックプリズム
１６  ビームスプリッタ
１７  コリメートレンズ
１８ａ、１８ｂ  ２分割フォトディテクタ
１９  開口制限体
【図１】
2007234160.tif 000003
【図２】
2007234160.tif 000004
【図３】
2007234160.tif 000005
【図４】
2007234160.tif 000006
【図５】
2007234160.tif 000007
【図６】
2007234160.tif 000008
【図７】
2007234160.tif 000009
【図８】
2007234160.tif 000010
【図９】
2007234160.tif 000011
【図１０】
2007234160.tif 000012
【図１１】
2007234160.tif 000013
【図１２】
2007234160.tif 000014
【図１３】
2007234160.tif 000015
【図１４】
2007234160.tif 000016